(57)【要約】【課題】物品の吊下姿勢を容易に変更することができたり、物品を吊り下げないときも取り外すことなくコンパクトに格納することができる物品の吊下具を提供する。【解決手段】吊下具１は、光源としてＬＥＤを使用する作業灯を吊り下げるものであり、先端がフック状に湾曲した掛止部１１の基端部に球状部１２が連設された掛止部材１０と、この掛止部材１０を、複数方向に突出可能にその基端部を支持する支持部材２０と、支持部材２０に作業灯を取り付ける取付金具３０とから構成されている。支持部材２０に対する掛止部材１０の突出方向を変更することで、作業灯ＷＬの吊下姿勢が変化し、作業箇所に合わせて作業灯ＷＬの主たる発光面ｅｓの向きを変更することができる。【選択図】        図３
0003223791.tif 000002
【実用新案登録請求の範囲】
【請求項１】
先端に掛止部を有する掛止部材と、
前記掛止部材を、複数方向に突出可能にその基端部を支持する支持部材と
を備えた物品の吊下具。
【請求項２】
前記支持部材には、その支持部材を物品に取り付ける取付部材が連設されており、
前記掛止部材の掛止部を被掛止部に掛止することで、前記取付部材を介して前記支持部材に取り付けられた物品を吊り下げるようになっており、
前記支持部材に対する前記掛止部材の突出方向を変更することで、物品の吊下姿勢が変化するようになっている請求項１に記載の物品の吊下具。
【請求項３】
前記支持部材には、その支持部材を被取付部に取り付ける取付部材が連設されており、
前記取付部材を介して前記支持部材を被取付部に取り付けた状態で、前記支持部材は、前記掛止部材を被取付部から張り出す方向及び被取付部に沿う方向にそれぞれ支持することができるようになっており、
前記取付部材を介して前記支持部材を被取付部に取り付けた状態で、前記掛止部材を被取付部から張り出す方向に突出させることで、その掛止部に物品を掛止して吊り下げ、前記掛止部材を被取付部に沿う方向に突出させることで、前記掛止部材を格納するようになっている請求項１に記載の物品の吊下具。
【考案の詳細な説明】
【技術分野】
【０００１】
この考案は、種々の物品を吊り下げる際に使用する物品の吊下具に関する。
【背景技術】
【０００２】
屋外や仮設作業現場での照明として使用する作業灯は、吊り下げた状態で使用することができるように、吊下具が取り付けられている。こういった作業灯の吊下具としては、例えば、図９（ａ）、（ｂ）に示すようなものがある。この吊下具５０は、先端が湾曲した掛止部５１ａを有するフック状の掛止部材５１と、この掛止部材５１の基端部を支持する支持部材５２と、この支持部材５２を作業灯本体ＬＢに取り付ける取付部材５３とから構成されており、この掛止部材５１は、先端の掛止部５１ａを掛止する被掛止部の形状や突出方向にある程度対応すべく、掛止部５１ａが定位置で回転するように、その基端部が支持部材５２に支持されている。
【０００３】
また、作業者が腰にドライバー等の工具を吊り下げたい場合は、図１０に示すように、環状の掛止部材６１が支持部材６２から張り出した工具ホルダ６０を腰ベルトＢに取り付け、この工具ホルダ６０の掛止部材６１にドライバー等の工具を掛止することで吊り下げるのが一般的である。
【先行技術文献】
【特許文献】
【０００４】
【特許文献１】実開昭５１−９０６８３号公報
【考案の概要】
【考案が解決しようとする課題】
【０００５】
ところで、近年は、光源としてＬＥＤを使用する作業灯が増加しており、こういったＬＥＤを光源とした作業灯は、蛍光管を光源とする作業灯のように蛍光管を取り囲む発光部の全周面が発光面となるのではなく、ＬＥＤ素子の前方側だけに所定の指向角で光が広がるという強い指向性を有しているので、発光部の特定の面（ＬＥＤ素子の前方側の面）が主たる発光面となる。
【０００６】
従って、光源としてＬＥＤを使用する作業灯の場合、主たる発光面が作業を行っている箇所を向くように、作業灯を設置することで、強い光を作業箇所に重点的に照射することができる。
【０００７】
しかしながら、光源としてＬＥＤを使用する作業灯に上述したような吊下具５０を取り付けて作業灯を吊り下げた場合は、作業灯の主たる発光面が常に一定の方向を向くことになり、作業箇所に合わせて主たる発光面の向きを変更することができないので、必ずしも、強い光を作業箇所に重点的に照射することができないといった問題がある。
【０００８】
また、上述したような工具ホルダ６０を作業者の腰ベルトＢに取り付けると、その掛止部材６１に工具を吊り下げないときも、掛止部材６１が作業者の腰部の外側に張り出すことになるので、作業性を考慮すると、使用していない工具ホルダ６０を腰ベルトＢから取り外すことが望ましいが、工具ホルダ６０の着脱作業が面倒であるといった問題がある。
【０００９】
そこで、この考案の課題は、物品の吊下姿勢を容易に変更することができたり、物品を吊り下げないときも取り外すことなくコンパクトに格納することができる物品の吊下具を提供することにある。
【課題を解決するための手段】
【００１０】
上記の課題を解決するため、請求項１に係る考案は、先端に掛止部を有する掛止部材と、前記掛止部材を、複数方向に突出可能にその基端部を支持する支持部材とを備えた物品の吊下具を提供するものである。
【００１１】
また、請求項２に係る考案は、請求項１に係る考案の吊下具において、前記支持部材には、その支持部材を物品に取り付ける取付部材が連設されており、前記掛止部材の掛止部を被掛止部に掛止することで、前記取付部材を介して前記支持部材に取り付けられた物品を吊り下げるようになっており、前記支持部材に対する前記掛止部材の突出方向を変更することで、物品の吊下姿勢が変化するようになっていることを特徴としている。なお、前記取付部材は、必ずしも、支持部材と別部材である必要はなく、支持部材と取付部材とが一体であってもよい。
【００１２】
また、請求項３に係る考案は、請求項１に係る考案の吊下具において、前記支持部材には、その支持部材を被取付部に取り付ける取付部材が連設されており、前記取付部材を介して前記支持部材を被取付部に取り付けた状態で、前記支持部材は、前記掛止部材を被取付部から張り出す方向及び被取付部に沿う方向にそれぞれ支持することができるようになっており、前記取付部材を介して前記支持部材を被取付部に取り付けた状態で、前記掛止部材を被取付部から張り出す方向に突出させることで、その掛止部に物品を掛止して吊り下げ、前記掛止部材を被取付部に沿う方向に突出させることで、前記掛止部材を格納するようになっていることを特徴としている。なお、前記取付部材は、必ずしも、支持部材と別部材である必要はなく、支持部材と取付部材とが一体であってもよい。
【考案の効果】
【００１３】
以上のように、請求項１に係る考案の物品の吊下具は、先端に掛止部を有する掛止部材と、前記掛止部材を、複数方向に突出可能にその基端部を支持する支持部材とを備えているので、必要に応じて、支持部材に対する掛止部材の突出方向を変えることで、種々の状況に対応することが可能となる。
【００１４】
特に、請求項２に係る考案の物品の吊下具は、支持部材に対する掛止部材の突出方向を変更することで、物品の吊下姿勢が変化するようになっているので、例えば、光源としてＬＥＤを使用する作業灯を吊り下げた場合、作業箇所に合わせて主たる発光面の向きを変更することができ、強い光を作業箇所に重点的に照射することが可能となる。
【００１５】
また、請求項３に係る考案の物品の吊下具は、取付部材を介して支持部材を被取付部に取り付けた状態で、掛止部材を被取付部から張り出す方向に突出させることで、その掛止部に物品を掛止して吊り下げ、掛止部材を被取付部に沿う方向に突出させることで、掛止部材を格納するようになっているので、例えば、作業者が腰にドライバー等の工具を吊り下げたい場合は、取付部材を介して支持部材を作業者の腰ベルトに取り付け、掛止部材を腰ベルトから張り出す方向に突出させることで、その掛止部にドライバー等の工具を掛止して吊り下げ、掛止部材にドライバー等の工具を吊り下げないときは、掛止部材を腰ベルトに沿う方向に突出させることで、掛止部材を腰ベルトから張り出さないように格納することができ、工具等を吊り下げないときも、吊下具を腰ベルトから取り外す必要がなく、使い勝手がよい。
【図面の簡単な説明】
【００１６】
【図１】（ａ）、（ｂ）はこの考案に係る物品の吊下具の一実施形態である作業灯の吊下具を示す斜視図である。
【図２】（ａ）は同上の吊下具を示す正面図、（ｂ）は同上の吊下具を示す左側面図、（ｃ）は同上の吊下具を示す右側面図、（ｄ）は同上の吊下具を示す平面図である。
【図３】（ａ）は同上の吊下具を用いて作業灯をその主たる発光面が下を向くように吊り下げた状態を示す側面図、（ｂ）〜（ｄ）は同上の吊下具の吊り下げ状態を示す拡大図である。
【図４】（ａ）は同上の吊下具を用いて作業灯をその主たる発光面が横を向くように吊り下げた状態を示す側面図、（ｂ）〜（ｄ）は同上の吊下具の吊り下げ状態を示す拡大図である。
【図５】（ａ）、（ｂ）はこの考案に係る物品の吊下具の他の実施形態である工具の吊下具を示す斜視図である。
【図６】（ａ）は同上の吊下具を示す正面図、（ｂ）は同上の吊下具を示す左側面図、（ｃ）は同上の吊下具を示す右側面図、（ｄ）は同上の吊下具を示す平面図である。
【図７】（ａ）は同上の吊下具を用いて工具を吊り下げた状態を示す側面図、（ｂ）〜（ｄ）は同上の吊下具の吊り下げ状態を示す拡大図である。
【図８】（ａ）〜（ｃ）は同上の吊下具に工具を吊り下げないときの格納状態を示す拡大図である。
【図９】（ａ）は作業灯を吊り下げる従来の吊下具を示す正面図、（ｂ）は同上の吊下具を示す側面図である。
【図１０】工具を作業者の腰に吊り下げる従来の吊下具を示す斜視図である。
【考案を実施するための形態】
【００１７】
以下、実施の形態について図面を参照して説明する。図１（ａ）、（ｂ）及び図２（ａ）〜（ｄ）に示す吊下具１は、光源としてＬＥＤを使用する作業灯を吊り下げるものであり、掛止部材１０と、この掛止部材１０を、複数方向に突出可能にその基端部を支持する支持部材２０と、支持部材２０に作業灯を取り付ける取付金具３０とから構成されている。
【００１８】
前記掛止部材１０は、被掛止部に掛止する先端がフック状に湾曲した掛止部１１と、この掛止部１１の基端部に連設された球状部１２とを有しており、球状部１２が支持部材２０に定位置回転可能に支持されるようになっている。
【００１９】
前記支持部材２０は、掛止部材１０の球状部１２を挟持する一対の挟持片２３、２４を有する一対の挟持ブロック２１、２２から構成されており、掛止部材１０の球状部１２を一対の挟持片２３、２４に挟み込んだ状態で一対の挟持ブロック２１、２２が取付金具３０と共にネジ止めされている。
【００２０】
一方の挟持片２３の挟持面（内面）は、球状部１２が球面接触する凹状の受部を有すると共に、他方の挟持片２４は、一方の挟持片２３の受部に球面接触している球状部１２が受部から脱落しないように、球状部１２に係合する切欠部２５を有している。
【００２１】
前記切欠部２５は、掛止部材１０の球状部１２の直径よりも小さい円形孔部２６と、この円形孔部２６を挟持片２４の外縁に開放する開放部２７とから構成されており、開放部２７は、その幅が円形孔部２６の直径よりも小さく、掛止部１１の基端部の直径よりも大きくなるように設定されている。従って、掛止部材１０の掛止部１１を挟持ブロック２２の外面側に倒すと、掛止部１１の基端部が開放部２７を通過して円形孔部２６に到達し、掛止部１１が挟持ブロック２２の外面から張り出した状態で定位置回転可能に支持されるようになっている。
【００２２】
前記支持部材２０は、一対の挟持片２３、２４の間隔が、球状部１２の直径よりも小さく、掛止部１１の基端部の直径よりも大きくなるように設定されており、掛止部材１０の掛止部１１を支持部材２０の一方または他方の側部側に倒すと、掛止部１１の基端部が挟持片２３、２４の間に嵌まり込み、掛止部１１が支持部材２０の一方または他方の側部から張り出した状態で定位置回転可能に支持されるようになっている。
【００２３】
前記取付金具３０は、支持部材２０における挟持ブロック２１の外面側にネジ止めされる固着板３１と、この固着板３１の両側縁に弾性変形可能に連設された一対の係止片３２、３２とから構成されており、係止片３２、３２は、作業灯の主たる発光面を挟む両側面に形成された凹条に噛合する凸状３３、３３を有している。
【００２４】
以上のように構成された吊下具１を用いて作業灯を吊り下げる場合について説明する。まず、図３（ａ）〜（ｄ）に示すように、取付金具３０の一対の係止片３２、３２を弾性変形させながら、その凸条３３、３３を作業灯ＷＬの主たる発光面ｅｓを挟む両側面にそれぞれ形成された凹条ｒｓに噛合させることで、作業灯ＷＬを吊下具１に取り付け、掛止部材１０の掛止部１１を挟持ブロック２２の外面側に倒して挟持ブロック２２の外面から張り出させた状態で、その掛止部１１を図示しない被掛止部に掛止すると、主たる発光面ｅｓが下を向く状態で作業灯ＷＬが吊り下げられる。これにより、例えば、作業台の上で作業を行っている場合は、作業台上の作業箇所に上方から強い光を重点的に照射することができる。
【００２５】
例えば、壁面等で作業を行っている場合は、取付金具３０を介して作業灯ＷＬを吊下具１に取り付けた後、図４（ａ）〜（ｄ）に示すように、掛止部材１０の掛止部１１を支持部材２０の一方の側部側に倒して支持部材２０の一方の側部から張り出させた状態で、その掛止部１１を図示しない被掛止部に掛止すると、主たる発光面ｅｓが横を向く状態で作業灯ＷＬが吊り下げられる。これにより、例えば、壁面等で作業を行っている場合は、その壁面等の作業箇所に側方から強い光を重点的に照射することができる。
【００２６】
以上のように、この吊下具１は、支持部材２０に対する掛止部材１０の突出方向を変更することで、作業灯ＷＬの吊下姿勢が変化し、作業箇所に合わせて主たる発光面ｅｓの向きを変更することができるので、使い勝手が良い。
【００２７】
図５（ａ）、（ｂ）及び図６（ａ）〜（ｄ）は、工具を作業者の腰に吊り下げることができる吊下具２を示している。この吊下具２も、上述した吊下具１と概ね同一構成を有しているので、同一構成要素には同一符号を付してその説明を省略し、異なる構成要素について説明する。
【００２８】
この吊下具２は、工具等を掛止する掛止部材１０Ａと、この掛止部材１０Ａを、複数方向に突出可能にその基端部を支持する、吊下具１の支持部材２０と同一構成の支持部材２０と、支持部材２０を作業者の腰ベルトに取り付ける取付金具３０Ａとから構成されている。
【００２９】
前記掛止部材１０Ａは、先端が環状に形成された掛止部１１ａを有しており、この掛止部１１ａの基端部に連設された球状部１２が支持部材２０に定位置回転可能に支持される点は、上述した吊下具１と同様である。
【００３０】
前記取付金具３０Ａは、作業者の腰ベルトを挟み込む、内側板３１ａと外側板３２ａとが上端縁で連結された断面逆Ｕ字状を有しており、内側板３１ａが支持部材２０の挟持ブロック２１の外面に固着されている。
【００３１】
以上のように構成された吊下具２を用いて工具を作業者の腰に吊り下げる場合について説明する。まず、図７（ａ）〜（ｄ）に示すように、内側板３１ａと外側板３２ａとの間に作業者の腰ベルトＢを挿入しながら、腰ベルトＢの上端側から取付金具３０Ａを押し下げることで、吊下具２を腰ベルトＢに取り付け、掛止部材１０Ａの掛止部１１ａを支持部材２０の挟持ブロック２２の外面側に倒して腰ベルトＢから張り出す方向に突出させた状態で、掛止部１１ａの環状の先端部にドライバー等の工具Ｔを挿入して掛止させると、工具Ｔが作業者の腰に吊り下げられた状態となる。
【００３２】
また、ドライバー等の工具Ｔを作業者の腰に吊り下げないときは、図８（ａ）〜（ｃ）に示すように、掛止部１１ａを、一旦、図５及び図６に示す状態に起こした後、掛止部１１ａを支持部材２０の一方または他方の側部側に倒して支持部材２０の一方または他方の側部から腰ベルトＢに沿う方向に突出させることで、掛止部材１０Ａを腰ベルトＢから張り出さないように格納することができる。
【００３３】
以上のように、この吊下具２は、取付金具３０Ａを介して支持部材２０を腰ベルトＢに取り付けた状態で、掛止部材１０Ａを腰ベルトＢから張り出す方向に突出させることで、その掛止部１１ａに工具Ｔを掛止して吊り下げ、掛止部材１１Ａを腰ベルトＢに沿う方向に突出させることで、掛止部材１０Ａを格納することができるので、工具Ｔを吊り下げないときも、吊下具２を腰ベルトＢから取り外す必要がなく、使い勝手がよい。
【００３４】
なお、上述した吊下具１では、掛止部材１０がフック状に湾曲した掛止部１１を、吊下具２では、掛止部材１０Ａが環状に形成された掛止部１１ａを有しているが、これに限定されるものではなく、掛止部１１、１１ａの形状は、被掛止部や吊り下げようとする工具Ｔの形状に応じて適宜設定すればよい。
【００３５】
また、上述した実施形態では、作業灯ＷＬを吊り下げる吊下具１及び工具Ｔを作業者の腰に吊り下げる吊下具２について説明したが、本考案の吊下具はこれらに限定されるものではなく、種々の物品を吊り下げる場合に使用することができる。
【産業上の利用可能性】
【００３６】
本考案は、種々の物品を吊り下げる際に利用することができる。
【符号の説明】
【００３７】
１、２  吊下具
１０、１０Ａ  掛止部材
１１、１１ａ  掛止部
１２  球状部
２０  支持部材
２１、２２  挟持ブロック
２３、２４  挟持片
２５  切欠部
２６  円形孔部
２７  開放部
３０、３０Ａ  取付金具
３１  固着板
３１ａ  内側板
３２  係止片
３２ａ  外側板
３３  凸状
ＷＬ  作業灯
ｅｓ  主たる発光面
ｒｓ  凹条
Ｂ  腰ベルト
Ｔ  工具
【図１】
0003223791.tif 000003
【図２】
0003223791.tif 000004
【図３】
0003223791.tif 000005
【図４】
0003223791.tif 000006
【図５】
0003223791.tif 000007
【図６】
0003223791.tif 000008
【図７】
0003223791.tif 000009
【図８】
0003223791.tif 000010
【図９】
0003223791.tif 000011
【図１０】
0003223791.tif 000012